(57)【要約】【課題】サービス・プロバイダが管理するリチャージ・カード・マネジメント・システムで、再販業者がスクラッチ・カードに安全にアクセスして管理することができるようにするための方法および装置を提供すること。【解決手段】リチャージ・カード・マネジメント・システムのサービス・プロバイダおよび再販業者ユーザが、再販業者口座識別に関連付けられたスクラッチ・カード・バッチを作成することができる。サービス・プロバイダおよび再販業者ユーザは、安全性およびアクセス可能性に基づいてスクラッチ・カード・データを探索し、閲覧し、変更することができる。有利なことに、再販業者または卸売業者は、その業者独自の口座識別のみに対するスクラッチ・カードのみを管理して販売することができ、それにより、そのようなトランザクションを不正から守る。【選択図】図１
2005149514.tif 000002
【特許請求の範囲】
【請求項１】
プリペイド管理システムを用いて遠隔通信顧客のプリペイド口座を増分する方法であって、
サービス・プロバイダまたは再販業者ユーザがリチャージ・カード・マネジメント・システムでスクラッチ・カード用のデータを作成する工程を含み、
前記データが、スクラッチ番号と、カードを管理して販売する再販業者を識別するための再販業者口座識別データとを備え、
前記マネジメント・システムが、サービス・プロバイダによって管理され、
認可されたサービス・プロバイダまたは再販業者ユーザのみが前記マネジメント・システムにアクセスすることができ、
前記マネジメント・システムが、そのデータベースにユーザのプロファイル・データを格納するためのものであり、
前記再販業者ユーザが、その口座識別情報を用いたカード情報へのアクセスに制限されており、
前記再販業者カード識別情報が、前記再販業者の階層内で前記再販業者よりも下位にある再販業者および卸売業者を識別するためのものであり、さらに、
前記カードを顧客に販売し、前記データベース内で前記カードに関する前記データを活動化させる工程と、
前記顧客が、プリペイド管理システムを呼び出して、スクラッチ・カードの値を顧客の口座に転送する工程とを含む
方法。
【請求項２】
前記プリペイド管理システムが、前記顧客から受け取ったデータを、前記リチャージ・カード・マネジメント・システムのデータベース内のデータと突き合わせてチェックして、前記顧客のプリペイド口座を増分するための認可を検査する工程
をさらに含む請求項１に記載の方法。
【請求項３】
ユーザが、リチャージ・カード・マネジメント・システムで、ファイル用のスクラッチ・カード製造データを入力することができる請求項１に記載の方法。
【請求項４】
再販業者ユーザが、リチャージ・カード・マネジメント・システムのカード・データベースに前記スクラッチ・カードに関するデータを入力し、前記データが前記再販業者の口座識別を備える請求項１に記載の方法。
【請求項５】
前記再販業者の前記口座識別または卸売業者ユーザの口座識別が階層の形で構成されており、それにより、卸売業者が、業者自身に関するデータ、または卸売業者の階層内でさらに下位にある卸売業者に関するデータのみにアクセスすることができ、再販業者ユーザが、前記階層内で前記再販業者よりも下位にあるすべての卸売業者に関するデータにアクセスすることができる請求項４に記載の方法。
【請求項６】
再販業者がカードを卸売業者に販売する工程と、
卸売業者の口座番号を用いて前記カードを活動化する工程と
をさらに含む請求項１に記載の方法。
【請求項７】
プリペイド管理システムを用いて遠隔通信顧客のプリペイド口座の増分を制御するための装置であって、
サービス・プロバイダまたは再販業者ユーザがスクラッチ・カード用のデータを作成するためのリチャージ・カード・マネジメント・システムと、
呼び出す前記顧客からの呼出しに応答して、スクラッチ・カードの値を顧客の口座に転送するプリペイド管理システムと
を備え、
前記データが、スクラッチ番号と、カードを管理して販売する再販業者を識別するための再販業者口座識別データとを備え、
前記マネジメント・システムが、サービス・プロバイダによって管理され、
認可されたサービス・プロバイダまたは再販業者ユーザのみが前記マネジメント・システムにアクセスすることができ、
前記マネジメント・システムがさらに、そのデータベースにユーザのプロファイル・データを格納するためのものであり、
前記再販業者ユーザが、その口座識別を用いたカード情報へのアクセスに制限されており、
前記再販業者カード識別情報が、前記再販業者の階層内で前記再販業者よりも下位にある再販業者および卸売業者を識別するためのものであり、
前記カードを顧客に販売するのに応答して、前記カード・マネジメント・システムが、前記データベース内の前記カードに関する前記データを活動化させる装置。
【請求項８】
前記プリペイド管理システムが、前記顧客から受け取ったデータを、前記リチャージ・カード・マネジメント・システムのデータベース内のデータと突き合わせてチェックして、前記顧客のプリペイド口座を増分するための認可を検査する請求項７に記載の装置。
【請求項９】
再販業者ユーザが、リチャージ・カード・マネジメント・システムのデータベースに前記スクラッチ・カードに関するデータを入力し、前記データが前記再販業者の口座識別を備える請求項７に記載の装置。
【請求項１０】
前記再販業者の前記口座識別または卸売業者ユーザの口座識別が階層の形で構成されており、それにより、卸売業者が、業者自身に関するデータ、または卸売業者の階層内でさらに下位にある卸売業者に関するデータのみにアクセスすることができ、再販業者ユーザが、前記階層内で前記再販業者よりも下位にあるすべての卸売業者に関するデータにアクセスすることができる請求項７に記載の装置。
【発明の詳細な説明】
【技術分野】
【０００１】
本発明は、リチャージ・カード・マネジメント・システムのための方法および装置に関する。
【背景技術】
【０００２】
遠隔通信顧客は、２つの方法の一方で料金請求される。ポストペイド顧客は、呼出しに対する料金を料金請求システムで累算し、その後、累算した料金を使用して、顧客に送る請求書を準備することによって料金請求される。プリペイド・サービスは、顧客がプリペイド口座を構築できるようにし、各呼出しに対する料金額をこの口座から差し引くことによって提供される。
【０００３】
プリペイド課金方式の１つの従来技術によれば、顧客がリチャージ・カード（スクラッチ・カード）を購入することができ、顧客はそれを使用して、口座内にこの顧客用に格納されている金額を増分することができる。そのようなカードは、サービス・プロバイダ、およびサービス・プロバイダに関連付けられている小売業者および／または卸売業者からのみ購入することができる。そのようなカードを購入した顧客は、自動音声応答（ＩＶＲ）システムと通信して、カードにデータを入力することができる。無線顧客は、移動体識別番号（ＭＩＮ）または移動体ディレクトリ番号（ＭＤＮ）によって識別される。有線顧客は、発信者の自動番号識別によって識別される。プリペイド管理システムが、顧客の識別と、顧客が入力した他のデータとを使用して、顧客の口座内のデータにアクセスして変更する。カード・バッチおよびシリアル番号、カード番号（またはＰＩＮ）、カード額面価格、およびカード・ステータスを含むリチャージ・カード情報を格納するリチャージ・カード・マネジメント・システムが存在する。プリペイド管理システムは、顧客識別およびカード番号（またはＰＩＮ）を提供することによってリチャージ・カード・マネジメント・システムでリチャージ・カード情報を検査する。リチャージ・カード・マネジメント・システムは、カード・ステータスを妥当性検査し、カードが有効であり、活動化されている場合、プリペイド管理システムに応答してカード額面価格を返す。次いで、プリペイド管理システムが、顧客のプリペイド口座を増分する。
【０００４】
従来技術の問題は、リチャージ・カード・マネジメント・システムへのアクセスおよび管理をサービス・プロバイダのみしか行うことができないことである。独立した再販業者および小売業者は、スクラッチ・カードの作成やカード情報およびステータスの閲覧および変更を含めて、リチャージ・カードにアクセスして管理することができない。そのような独立した再販業者は、プリペイド・カードを宣伝し、それによりサービス・プロバイダにより多くの商取引をもたらす支援をすることができる。さらに、そのような再販業者は、多数の売り場を有することができ、顧客がスクラッチ・カードを購入するのをより便利にする。従来技術の問題は、独立した再販業者または小売業者が、リチャージ・カード・マネジメント・システムに安全にアクセスして管理し、そのようなスクラッチ・カードを顧客に販売することができるようにする充分な仕組みが存在しないことである。
【発明の開示】
【発明が解決しようとする課題】
【０００５】
本発明によれば、上述した問題が解決され、従来技術の教示に勝る進歩が得られる。本発明では、サービス・プロバイダと独立した再販業者の両者がリチャージ・カード・マネジメント・システムにアクセスし、管理することができる。サービス・プロバイダがすべてのカードにアクセスして管理することができるのに対し、独立した再販業者は、その再販業者に属するカードにのみアクセスして管理することができる。リチャージ・カード・マネジメント・システムのサービス・プロバイダ・ユーザと独立した再販業者ユーザの両者が、スクラッチ・カード・バッチ、またはバッチのグループを作成することができる。ある再販業者のために作成されたスクラッチ・カード・バッチ（およびバッチのグループ）は、その特定の再販業者の口座識別によって識別され、リチャージ・カード・マネジメント・システムのデータベースに格納され、これは、同じ口座識別を有するこの再販業者のシステム・ユーザ、またはサービス・プロバイダ管理ユーザのみがアクセスして変更することができる。（異なる口座識別を有する）任意の他の再販業者ユーザは、このカード情報へのアクセスを許可されない。再販業者の階層が存在する場合、各再販業者は、階層内でその再販業者よりも下位にある再販業者の口座に関するデータのみにアクセスすることができる。有利なことに、この構成では、個別の再販業者に関するデータが、その業者が管理および販売を認可されているスクラッチ・カードを識別する。したがって、特定のスクラッチ・カードの販売を認可されている再販業者のみが、そのカードを販売することができ、そのようなスクラッチ・カードが補充されるときにサービス・プロバイダによって料金請求される。
【課題を解決するための手段】
【０００６】
本出願人の発明の１つの好ましい実施形態によれば、リチャージ・カード・マネジメント・システムがサービス・プロバイダによって管理されていても、再販業者および卸売業者が、リチャージ・カード・マネジメント・システムを介してリチャージ・カードを管理することを認可されている。アクセスは、スクラッチ・カード・バッチまたはバッチのグループの作成（各バッチが、再販業者自身の口座識別に関連付けられている）、同じ再販業者口座識別を有するカードに関するカード情報の探索および閲覧、同じ再販業者口座識別を有するカードに関するカード・ステータスの変更（活動化／非活動化、削除／解約、失効、使用済）を含む。リチャージ・カード・システムのサービス・プロバイダ・ユーザは、必要に応じて任意の再販業者口座識別に割り当てられるようにスクラッチ・カード・バッチまたはバッチのグループを作成し、すべての再販業者および小売業者に属するカードに関して、カード情報を探索して閲覧し、カード・ステータスを変更することができる。顧客は、プリペイド口座を更新するために使用されるプリペイド管理システムに自動音声応答（ＩＶＲ）またはインターネットを介してアクセスするとき、スクラッチ・カード情報および口座識別（移動電話用のＭＩＮまたはＭＤＮ）を提供する。時として、ＩＶＲは、ＭＩＮまたはＭＤＮを自動的に識別することができる。プリペイド管理システムは、加入者データベースを探索して、その顧客に関する再販業者または卸売業者口座識別を見つけ出す。移動電話がこの再販業者によって供給されているとき、再販業者口座識別が、プリペイド管理システムのデータベースに格納されている。次いで、プリペイド管理システムは、顧客が入力したスクラッチ・カード番号を用いてリチャージ・カード・マネジメント・システムに問い合わせる。リチャージ・カード・マネジメント・システムは、スクラッチ・カードが正当であることを検査し、このスクラッチ・カードが販売された再販業者を識別し、そのデータベースによってスクラッチ・カードの額面価格を検査する。カードが有効である（すなわち活動化されている）場合、リチャージ・カード・マネジメント・システムは、カードの額面価格を、このカードに関連付けられた再販業者口座識別と共に、プリペイド管理システムに返す。カードが使用、失効、解約、または非活動化されている場合、リチャージ・カード・マネジメント・システムはエラー応答を返す。プリペイド管理システムは、カード額面価格および再販業者口座識別を有する肯定応答を受けると、その口座識別を、独自のデータベースから得られる口座識別と比較する。２つの口座識別が一致する（すなわち、スクラッチ・カードが移動電話加入者の再販業者と同じ再販業者によって発行されている）場合、プリペイド・システムは、プリペイド・データベースにデータを返し、要求する移動体の口座を、スクラッチ・カードの額面価格だけ増分させ、顧客プリペイド口座のライフサイクルを更新することができるようにする。
【発明を実施するための最良の形態】
【０００７】
図１は、本出願人の発明の動作を示すブロック図である。サービス・プロバイダが管理するリチャージ・カード・マネジメント・システム１は、カードの有効性と、カードの管理および販売を認可されている再販業者（２５、．．．、２６）の識別とを検査するためのデータを格納するために使用される。リチャージ・カード・マネジメント・システム１は以下の機能を有する。カード製造受注ファイルの作成、製造業者から返されたカードの在庫目録の作成、卸売業者へのカードの流通、プリペイド管理システムに関するカード・ステータスの検査。
【０００８】
すべてのリチャージ・カード情報を格納するリチャージ・カード・マネジメント・システム１には、サービス・プロバイダ管理ユーザ２４、再販業者ユーザ２５、．．．、２６および卸売業者ユーザ３０がアクセスすることができる。すべてのカードが、再販業者口座識別によって識別される。これらのユーザは、新たなカード・バッチを作成し、カード情報を探索して閲覧し、カード・ステータスを変更することができる。各再販業者が、卸売業者３０など複数の卸売業者を有し、卸売業者が、顧客２０などの顧客と取引を行う。各再販業者は、その業者独自の口座識別に関連付けられたカードに関するカード・データベース内の項目にのみアクセスすることができる。
【０００９】
リチャージ・カード・マネジメント・システム１は、サービス・プロバイダ・ユーザ、再販業者ユーザ、および卸売業者ユーザの情報を含むユーザ・プロファイルを管理する。ユーザは、ユーザＩＤと、再販業者口座識別や、セキュリティ・レベルおよびオペレーション・レベルへのアクセスの許可などを提供するためのパスワードとを有する。管理ユーザとしてのサービス・プロバイダ・ユーザは、すべてのリチャージ・カードにアクセスして管理することができる。再販業者ユーザは、ユーザ・プロファイル内でこのユーザに関連付けられた再販業者識別を有する再販業者に属するカードにのみアクセスして管理することができる。ユーザ・プロファイルは、リチャージ・カード・マネジメント・システムのデータベースに格納され、サービス・プロバイダによって管理される。すなわち、管理ユーザのみが、プロファイルを作成し、それにアクセスし、変更することができる。
【００１０】
再販業者および卸売業者は、再販業者が複数の第１レベルの卸売業者を統括することができ、各卸売業者が複数の第２レベルの卸売業者を統括できるといったような階層の形で構成することができる。第１レベルの卸売業者のユーザは、そのユーザ独自のカード・データベース、およびその第１レベルの卸売業者によって統括されている第２レベルの卸売業者のデータベースにのみアクセスすることができる。再販業者は、直接または間接的に、その業者が所有または統括している第１レベル、第２レベル、それ以降のレベルの卸売業者すべてのカード・データベースにアクセスすることができる。カードを販売する卸売業者の口座識別により、このアクセスが実施可能なものとなる。
【００１１】
カード製造受注ファイルの作成中、システム・ユーザは、ユーザ・ブラウザを介して遠隔的にシステムにアクセスし、ＧＵＩ（グラフィカル・ユーザ・インターフェース）画面を使用して製造受注ファイルを作成する。製造受注ファイルは、契約番号、製造業者名、再販業者名および口座識別、バッチ番号、シリアル番号（例えば１〜１００００）、各カードに関連付けられたランダム・カード番号（スクラッチ番号、時として個人識別番号（ＰＩＮ）と呼ばれる）、作成日、およびその他の情報を含み、しかしそれらに限定されない。１つの製造受注ファイルが、１つのスクラッチ・カード・バッチを含む場合も、同じまたは異なる再販業者識別を有する複数のバッチを含む場合も、グループ番号を有するバッチ・グループを含む場合もある。１つのグループが、同じまたは異なる再販業者識別を有する１つまたは複数のバッチを含む場合がある。システム内部で作成されたすべての製造受注ファイルが、システム・ユーザが後で探索して閲覧できるようにデータベースに格納される。
【００１２】
作成後の製造受注ファイルは、安全に暗号化されて、製造業者に送られる。カード製造業者３５は、カード・バッチを製造し、それらを関連する再販業者（１社または複数社）に返す。
【００１３】
次いで、再販業者は、ＧＵＩインターフェースを介してリチャージ・カード・マネジメント・システムにカードを記帳して、カード在庫目録を作成する。再販業者は、在庫目録内の製造受注を更新し、個別に、またはバッチ単位でカードを受理または拒否する。また、在庫目録機能により、再販業者が、スクラッチ・カード・バッチの位置を追跡し、返却、解約、または失効された際にスクラッチ・カードを処分することができるようになる。リチャージ・カード・マネジメント・システムは、データベース内ですべての在庫目録データを管理する。在庫目録データは、ＧＵＩ画面を介してシステム・ユーザによって探索されて閲覧される。
【００１４】
在庫目録に記入されたカードは、卸売業者に流通され、販売される。流通プロセスは、リチャージ・カード・マネジメント・システムによって完了される。すべての流通情報がデータベース２に格納されている。流通順序は、階層流通システムを形成する１つの卸売業者から別の下位卸売業者へのものとすることができる。流通階層は、複数のレベルとして定義することができる。再販業者または卸売業者は、カードを販売すると、カード・マネジメント・システム１にアクセスした際にＧＵＩ画面を介してカードに関連付けられたデータのデータベースを更新する。
【００１５】
続いて、そのカードを購入した顧客２０がプリペイド管理システム１１にアクセスする。顧客は、８００番をダイヤルし、プリペイド管理システム１１の応答システム１３に接続される。顧客は、応答システムからの要求に応じて、顧客のデュアルトーン多重周波数（ＤＴＭＦ）キーパッドを使用してスクラッチ番号を提供する。プリペイド管理システム１１は、加入者データベースを探索し、この顧客に関連付けられた再販業者口座識別を見つけ出す。移動電話はこの再販業者によって供給されており、再販業者口座識別が、プリペイド管理システム１１のデータベースに格納されている。次いで、プリペイド管理システムは、顧客が入力したスクラッチ・カード番号を用いてリチャージ・カード・マネジメント・システムに問い合わせる。リチャージ・カード・マネジメント・システムは、スクラッチ・カードが正当であることを検査し、このスクラッチ・カードが販売された再販業者を識別し、そのデータベースによってスクラッチ・カードの額面価格を検査する。カードが有効である（すなわち活動化されている）場合、リチャージ・カード・マネジメント・システムは、カードの額面価格を、このカードに関連付けられた再販業者口座識別と共に、プリペイド管理システムに返す。カードが使用、解約、失効、または非活動化されている場合、リチャージ・カード・マネジメント・システムは、エラー応答を返す。プリペイド管理システムは、カード額面価格および再販業者口座識別を有する肯定応答を受けると、その口座識別を、システム独自のデータベースから得られる口座識別と比較する。２つの口座識別が一致する（すなわち、スクラッチ・カードが、移動電話加入者の再販業者と同じ再販業者によって発行されている）場合、プリペイド・システムは、要求している移動体加入者の口座を、スクラッチ・カードの額面価格だけ増分させ、顧客プリペイド口座のライフサイクルを更新することができるようにする。
【００１６】
本明細書で説明するようなシステムを作動させる際、安全性を保つことが不可欠である。セキュリティ・システムでの第１の工程は、製造業者が、製造したカードの厳しい管理を維持することである。製造業者名、再販業者名および口座識別、カード番号、バッチ番号、シリアル番号、作成日（またはタイムスタンプ）、およびその他の情報を含むスクラッチ・カード製造受注ファイルを作成するためにリチャージ・カード・マネジメント・システムにアクセスするサービス・プロバイダまたは再販業者が送るメッセージは、安全に暗号化されてから、製造業者に送信されるべきである。製造業者は、メッセージの受信後、同じセキュリティ・キーを用いて製造受注ファイルを解読する。
【００１７】
次の工程は、再販業者、さらには卸売業者への流通である。各再販業者または卸売業者は、リチャージ・カード・マネジメント・システム内の、その業者独自の階層内にあるカードに関するデータのみにアクセスすることができる。データ・アクセスは、カード情報およびステータスを探索して閲覧する権能、およびカード・ステータスを変更する（活動化／非活動化、使用済、失効、停止、解約、削除）権能を含む。
【００１８】
図２は、本出願人の発明の動作を示す流れ図である。サービス・プロバイダ・ユーザ２４または再販業者ユーザ２５、．．．、２６が、リチャージ・カード・マネジメント・システム１にアクセスし、システムを使用して、新たなスクラッチ・カード製造受注ファイルを作成する（動作ブロック２０１）。製造受注ファイルは、契約番号、製造業者名、再販業者名および口座識別、バッチ番号、シリアル番号（例えば１〜１００００）、各カードに関連付けられたランダム・カード番号（スクラッチ番号、時として個人識別番号（ＰＩＮ）と呼ばれる）、作成日（またはタイムスタンプ）、およびその他の情報を含む。製造受注ファイルは、安全に暗号化されて、製造業者３５に送られる（動作ブロック２０３）。製造業者は、カードを製造し、再販業者および／または卸売業者に送る（動作ブロック２０５）。各カードが、隠されているスクラッチ番号と、見ることができるバッチおよびシリアル番号とを有する。
【００１９】
再販業者２５、．．．、２６は、その在庫目録にカードを入力し、リチャージ・カード・マネジメント・システム１に通知する（動作ブロック２０７）。次いで、各卸売業者３０が再販業者２５、．．．、２６にカードを注文する（動作ブロック２０９）。卸売業者は、カードの受領を確認し（動作ブロック２１１）、リチャージ・カード・マネジメント・システム１内でカードを活動化させる（動作ブロック２１３）。卸売業者３０が、カードを顧客２０に販売する（動作ブロック２１５）。顧客は、８００番を呼び出して、またはインターネットを使用して、プリペイド管理システム１１にアクセスし（動作ブロック２１７）、スクラッチ・カード額面価格を顧客のプリペイド口座に転送する。それを行うために、顧客は、移動電話用の移動体識別番号、または地上通信線用の自動的に識別される電話番号を供給する（動作ブロック２１９）。顧客は、スクラッチ番号を覆っているコーティングを削ることによって得られるスクラッチ・カード番号を供給する（動作ブロック２２１）。プリペイド管理システム１１は、顧客が自分の移動体識別をキーとして使用するときに、データベースからの顧客の口座識別をチェックし、次いで、スクラッチ・カード番号と口座識別の両方をリチャージ・カード・マネジメント・システム１に送り、検査を行う（動作ブロック２２３）。リチャージ・カード・マネジメント・システム１は、スクラッチ・カードが正当であることを検査し、このスクラッチ・カードが販売された再販業者を識別し、データベース２によってスクラッチ・カードの額面価格を検査する（動作ブロック２２５）。カードが正当である（すなわち活動化されている）場合、リチャージ・カード・マネジメント・システム１は、カードの額面価格を、そのカードに関連付けられた再販業者口座識別と共に、プリペイド管理システム１１に返す（動作ブロック２２７）。カードが使用、失効、または非活動化されている場合、リチャージ・カード・マネジメント・システムはエラー応答を返す（動作ブロック２３５）。プリペイド管理システムは、カード額面価格および再販業者口座識別を有する肯定応答を受けると、その口座識別を、独自のデータベースから得られる口座識別と比較する（動作ブロック２２９）。２つの口座識別が一致する（すなわち、スクラッチ・カードが、移動電話加入者の再販業者と同じ再販業者によって発行されている）場合、プリペイド管理システム１１は、顧客プリペイド口座を、スクラッチ・カードの額面価格だけ増分し、顧客プリペイド口座のライフサイクルを更新し、リチャージ・カード・マネジメント・システムと顧客２０の両方にリチャージの成功を通知する（動作ブロック２３１）。
【００２０】
再販業者Ａがサービス提供している顧客が、再販業者Ｂによって発行されたスクラッチ・カードを使用して自分の口座を補充する場合、顧客は、プリペイド管理システム１１を呼び出し、スクラッチ・カード番号を提供する。プリペイド管理システム１１は、顧客のプリペイド・データベースから顧客の口座識別（再販業者Ａの口座識別と等しい）を得て、カード番号をリチャージ・カード・マネジメント・システム１に送り、検査する。リチャージ・カード・マネジメント・システム１は、カード番号が有効であり、しかし再販業者Ｂに属する別の口座識別に関連付けられていると判定する。リチャージ・カード・マネジメント・システム１は、カード額面価格と、再販業者Ｂの口座識別とをプリペイド管理システムに返す。プリペイド管理システムは、受け取った再販業者口座識別（再販業者Ｂ）を、独自のデータベースから得られる口座識別（再販業者Ａ）と比較し、２つの口座識別が一致しないと判定する。プリペイド管理システムは、誤ったカードが使用されたため補充が許可されない旨を顧客に通知し、また、リチャージが失敗したことを示すエラー・メッセージをリチャージ・カード・マネジメント・システムに送る。
【００２１】
スクラッチ・カードを検査し、肯定応答をプリペイド管理システム１１に送り、システム１１から確認を受け取った後、リチャージ・カード・マネジメント・システム１は、そのデータベース２内で、使用済みとしてカードに印を付ける（動作ブロック２３３）。
【００２２】
顧客は、データ（スクラッチ・カード番号、電話または移動電話番号（自動的に供給される））を供給することによってプリペイド管理システム内の口座を活動化させる。これらのデータは、顧客が再販業者に知らせたくないものである場合がある。顧客は、カード上を覆っている保護を除去することによってスクラッチ・カード番号を識別する。再販業者の代理人はスクラッチ・カード番号を知らない。再販業者の代理人がスクラッチ番号を知っている場合、プリペイメントを盗み、それを自分のプリペイメント口座内に入力した可能性がある。
【００２３】
上記の説明は、本出願人の発明の１つの好ましい実施形態である。本出願人の発明の範囲から逸脱することなく、当業者には他の実施形態が明らかであろう。本発明は、頭書の特許請求の範囲によってのみ限定される。
【図面の簡単な説明】
【００２４】
【図１】本出願人の発明の動作を示すブロック図である。
【図２ａ】本出願人の発明の動作を示す流れ図である。
【図２ｂ】本出願人の発明の動作を示す流れ図である。
【図１】
2005149514.tif 000003
【図２ａ】
2005149514.tif 000004
【図２ｂ】
2005149514.tif 000005